(57)【要約】      （修正有）【課題】録音もしくは音声再生し、装飾袋の実用性と趣味性を高める装飾袋の構造を提供する。【解決手段】装飾袋の構造は、音を通す材料で納置空間を備えた袋体構造を構成し、袋体構造内部の納置空間には薄型電子装置３０を設置して録音、再生効果を備えた装飾袋体２０を構成する。該袋体構造の外周面には装飾図案が設けられる。電子装置３０は電気供給部品３２、音声拡大部品３３、再生押ボタン３４、及び電気供給部品、音声拡大部品及び再生押ボタンと連接する制御部品３１を含み、再生押ボタン３４は袋体構造の装飾面方向に対応する。電子装置３０は更に上述の制御部品と連接する音声吸収部品３５及び録音押ボタン３６を設置する。袋体の内部空間には録音、再生する薄型電子装置を設置し、装飾袋体内部空間に設置してあるボタンを押すことによって録音もしくは音声再生し、装飾袋の実用性と趣味性を高める。【選択図】図２
0003151240.tif 000002
【実用新案登録請求の範囲】
【請求項１】
装飾袋の構造において、音を通す材料で納置空間を備えた袋体構造を構成し、該袋体構造の内部の納置空間に、薄型電子装置を設置して録音、再生機能を備えた装飾袋体を構成し、上述の袋体構造は、その外周面に装飾図案を設置し、上述電子装置は電気供給部品、音声拡大部品、再生押ボタン、及び電気供給部品と音声拡大部品と再生押ボタンを連接する制御部品を含み、上述の再生押ボタンは袋体構造の装飾面に対応する方向に設置することを特徴とする装飾袋の構造。
【請求項２】
前記袋体構造は、その一側に上述の電子装置を入れる開口構造を設置し、最上部の予定位置に通孔を設置することを特徴とする請求項１記載の装飾袋の構造。
【請求項３】
前記制御部品は、メモリー、メモリーと連接するデジタル・アナログ転換回路及びデジタル・アナログ転換回路と連接する制御ロジックを含み、上述のデジタル・アナログ転換回路はメモリーのデーターを読み取って音声を再生し、上述の制御ロジックは上述の再生押ボタンを連接して再生状態を制御することを特徴とする請求項１記載の装飾袋の構造。
【請求項４】
前記電子装置は、更に上述の制御部品と電気連接する音声吸収部品及び録音押ボタンを設置し、該録音押ボタンと上述の再生押ボタンは、上述の袋体構造の装飾面と同じ方向に設置することを特徴とする請求項１記載の装飾袋の構造。
【請求項５】
前記音声吸収部品と音声拡大部品は、同じ位置に設置してブザー構造を構成することを特徴とする請求項４記載の装飾袋の構造。
【請求項６】
前記制御部品は、データーを保存するメモリー、メモリーと連接するデジタル・アナログ転換回路及びデジタル・アナログ転換回路と連接する制御ロジックを含み、上述の制御ロジックは上述の再生押ボタンと録音押ボタンを連接して録音再生状態を制御することを特徴とする請求項５記載の装飾袋の構造。
【請求項７】
前記装飾袋体は、更に最上部位置にストラップ部品を設置することを特徴とする請求項１から６記載の装飾袋の構造。
【請求項８】
前記装飾袋体は、外周面を保護袋体で覆うことを特徴とする請求項７記載の装飾袋の構造。
【請求項９】
前記保護袋体は、底部位置に一個以上の装飾部品を設置することを特徴とする請求項８記載の装飾袋の構造。
【請求項１０】
前記装飾袋体は、底部位置に一個以上の装飾部品を設置することを特徴とする請求項７記載の装飾袋の構造。
【考案の詳細な説明】
【技術分野】
【０００１】
本考案は、装飾袋の構造に関するもので、特に袋体内部空間に録音、音声再生する薄型電子装置を備えた装飾袋を指し、特に線香袋、福袋、御守等に応用する装飾袋構造に係わる。
【背景技術】
【０００２】
一般に宗教を信仰する者は通常、廟や寺社へ行き、法儀式で祈祷した加持物品、信仰神の図画及び護身符等宗教用品を求める。これは台湾、中国大陸の廟の線香袋、福袋、護身符、もしくは日本の神社仏閣の御守はすべて平安を祈願し、厄除けを達成する効果を求めるものである。
【０００３】
図１に示すとおり、伝統的な宗教護身符は、一開口１１を備えた刺繍袋１０内に折り畳んだ護符紙（図未提示）を入れ、護符紙の内部で線香の灰、赤糸、銅硬貨等異なる効果の加持物品を包む。そのうち、上述の刺繍袋１０の最上端位置には穿孔１２を設置し、該穿孔１２は紐体１３と共に定位し、これらによって身につける携帯の護身符を形成する。
【０００４】
しかしながら、宗教信仰者の中には通常読経、仏教音楽、聖歌を聞く習慣の人々もいる。自身の魂を慰めるためであるが、公知の護身符には関連宗教加持物を入れる効果しかなく、宗教音楽を再生する効果もない。これは信徒もしくは消費者の購買意欲を有効に引き付けることができないばかりか、護身符の実用性としても大きく劣る。
【０００５】
この他、伝統的な護身符は刺繍袋１０だけで構成されているが、信徒は常に携帯するため、刺繍袋１０の外部構造は汗や汚れもしくは破損することがあり、改善の必要がある。
【考案の概要】
【考案が解決しようとする課題】
【０００６】
録音、音声再生する薄型電子装置を備えた装飾袋構造を提供し、装飾袋体内部に予め設置したボタンを押して録音、もしくは音声再生することにより、装飾袋の実用機能及び消費者の趣味性を高めることを本考案の主な目的とする。
使用者が持つのに便利な装飾袋構造を提供し、保護袋体を設置することによって、装飾袋体が汚れたり、破れたりするのを防止することを本考案の次の目的とする。
【課題を解決するための手段】
【０００７】
請求項１の考案は、装飾袋の構造において、音を通す材料で納置空間を備えた袋体構造を構成し、該袋体構造の内部の納置空間に、薄型電子装置を設置して録音、再生機能を備えた装飾袋体を構成し、上述の袋体構造は、その外周面に装飾図案を設置し、上述電子装置は電気供給部品、音声拡大部品、再生押ボタン、及び電気供給部品と音声拡大部品と再生押ボタンを連接する制御部品を含み、上述の再生押ボタンは袋体構造の装飾面に対応する方向に設置することを特徴とする装飾袋の構造としている。
請求項２の考案は、前記袋体構造は、その一側に上述の電子装置を入れる開口構造を設置し、最上部の予定位置に通孔を設置することを特徴とする請求項１記載の装飾袋の構造としている。
請求項３の考案は、前記制御部品は、メモリー、メモリーと連接するデジタル・アナログ転換回路及びデジタル・アナログ転換回路と連接する制御ロジックを含み、上述のデジタル・アナログ転換回路はメモリーのデーターを読み取って音声を再生し、上述の制御ロジックは上述の再生押ボタンを連接して再生状態を制御することを特徴とする請求項１記載の装飾袋の構造としている。
請求項４の考案は、前記電子装置は、更に上述の制御部品と電気連接する音声吸収部品及び録音押ボタンを設置し、該録音押ボタンと上述の再生押ボタンは、上述の袋体構造の装飾面と同じ方向に設置することを特徴とする請求項１記載の装飾袋の構造としている。
請求項５の考案は、前記音声吸収部品と音声拡大部品は、同じ位置に設置してブザー構造を構成することを特徴とする請求項４記載の装飾袋の構造としている。
請求項６の考案は、前記制御部品は、データーを保存するメモリー、メモリーと連接するデジタル・アナログ転換回路及びデジタル・アナログ転換回路と連接する制御ロジックを含み、上述の制御ロジックは上述の再生押ボタンと録音押ボタンを連接して録音再生状態を制御することを特徴とする請求項５記載の装飾袋の構造としている。
請求項７の考案は、前記装飾袋体は、更に最上部位置にストラップ部品を設置することを特徴とする請求項１から６記載の装飾袋の構造としている。
請求項８の考案は、前記装飾袋体は、外周面を保護袋体で覆うことを特徴とする請求項７記載の装飾袋の構造としている。
請求項９の考案は、前記保護袋体は、底部位置に一個以上の装飾部品を設置することを特徴とする請求項８記載の装飾袋の構造としている。
請求項１０の考案は、前記装飾袋体は、底部位置に一個以上の装飾部品を設置することを特徴とする請求項７記載の装飾袋の構造としている。
【考案の効果】
【０００８】
本考案の効果は、袋体構造内部の薄型電子装置を通して音楽、もしくはその他特殊音声を再生することで、装飾袋体の付加価値が大幅に高まり、更に消費者の購買意欲を高めるため、同時に該電子装置は録音及び音声再生機能を備え、装飾袋体の実用性を向上させる。この他、袋体構造の最上部位置にはストラップ部品を設置して使用者が設置するのに便利な装飾袋構造で、袋体構造の外部は、保護袋体で覆うことで装飾用の袋体構造が汚れたり、破れたりするのを防止する。
【図面の簡単な説明】
【０００９】
【図１】伝統的な一般の福袋、線香袋、御守等の装飾袋構造の立体図である。
【図２】本考案の実施例の立体概略図である。
【図３】本考案にストラップ部品、装飾部品及び保護袋を設置した実施例概略図である。
【図４】本考案の別の実施例の立体図である。
【図５】本考案にストラップ部品、装飾部品及び保護袋体を設置した袋体構造の別の実施例概略図である。
【考案を実施するための形態】
【００１０】
更に一歩進めて本考案の構造、使用及び特徴を一層明確、詳細に説明するため、良好な実施例を挙げ、図式と共に説明する。
【００１１】
図２に示すのは、本考案の良好な一実施例の立体概略図である。本考案は、内部に納置空間を備えた袋体構造２０及び上述の袋体構造２０内部の納置空間に設置する電子装置３０から構成される。そのうち、上述の袋体構造２０は、音を通す材料で納置空間と連通する開口構造２１を備える。該開口構造２１は、上述の電子装置３０を入れたり出したりするのに用い、更に該袋体構造２０の最上端位置には通孔２２を設置する。そのうち、該袋体構造２０の外周面２３には宗教装飾の図案を呈して設置する。
【００１２】
図に示す実施例に於いて、上述の電子装置３０は制御部品３１、上述の制御部品３１と連接する電気供給部品３２、上述の制御部品３１と電気連接する音声拡大部品３３、上述の制御部品３１と電気連接する再生押ボタン３４、上述の制御部品３１と電気連接する音声吸収部品３５及び上述の制御部品と電気連接する録音押ボタン３６を備える。
【００１３】
そのうち、上述の制御部品３１は、データーを保存するメモリー、メモリーと連接するデジタル・アナログ転換回路及びデジタル・アナログ転換回路と連接する制御ロジック（図未提示）を含み、上述のデジタル・アナログ転換回路は、メモリーのデーターを読み取って音声を再生し、上述の制御ロジックは上述の再生押ボタン３４と録音押ボタン３６を連接することで録音再生状態を制御する。上述の電気供給装置３２は水銀、ボタンもしくはその他の小型の薄型電池を採用する。上述の音声吸収部品３５は音声もしくは音楽を録音する機能を備え、上述の音声拡大部品３３は音声もしくは音楽を拡大して再生するのに用いる。上述の再生押ボタン３４と録音押ボタン３６は上述の袋体構造２０の装飾面と同じ方向に設置する。
【００１４】
図３に示すのは、本考案にストラップ部品、装飾部品及び保護袋体を設置した実施例の立体概略図である。上述の袋体構造２０は通孔２２の位置に更にストラップ部品４０を設置し、該袋体構造２０の外周側には透明の材料で構成された保護袋体４１を設置し、該保護袋体４１の底部位置には一個以上の装飾部品４２を設置する。
【００１５】
図に示す実施例に於いて、該ストラップ部品４０は吊り掛け機能を備えたストラップ４０１を結び、上述の保護袋体４１は底部位置に一個以上の通孔４１１を設置し、上述の装飾部品４２を上述の通孔４１１に差し込んで固定して定位する。
【００１６】
図４に示すのは、本考案の別に実施した立体概略図である。本考案は、内部に納置空間を備えた袋体構造５０及び上述の袋体構造５０内部の納置空間に設置する電子装置６０から構成される。そのうち、上述の袋体構造５０は、音を通す材料で密閉空間を構成し、袋体構造５０の最上端位置にはストラップベルト５１を設置し、該袋体構造５０の外周面５２には宗教装飾の図案を呈して設置する。
【００１７】
図に示す実施例に於いて、上述の電子装置６０は制御部品６１、上述の制御部品６１と連接する電気供給部品６２、上述の制御部品６１と電気連接する再生押ボタン６３、上述の制御部品と電気連接する録音押ボタン６４及び上述の制御部品６１と電気連接するブザー６５を備える。そのうち、上述のブザー６５は同時に音声を録音する録音構造及び音声を再生する音声拡大構造を備える。
【００１８】
そのうち、上述の制御部品６１は、データーを保存するメモリー、メモリーと連接するデジタル・アナログ転換回路及びデジタル・アナログ転換回路と連接する制御ロジック（図未提示）を含み、上述の制御ロジックは、上述の再生押ボタン６３と録音押ボタン６４を連接して録音再生状態を制御する。
【００１９】
上述の電気供給装置６２は水銀、ボタンもしくはその他の小型薄型電池を採用する。上述の再生押ボタン６３と録音押ボタン６４は、上述の袋体構造５０の装飾面と同じ方向に設置してもいいし、または上述の袋体構造５０の装飾面と異なる面方向に設置してもよい（図未提示）。
【００２０】
図５に示すのは、ストラップ部品、装飾部品及び保護袋体構造を設置した別の実施例概略図である。上述のストラップベルト５１には吊り掛けするストラップ体７０を設置してもよく、該袋体構造５０外周側には透明な材料で構成された保護袋体７１を設置し、該保護袋体７１は、底部位置に一個以上の通孔７１１を設置し、該通孔７１１内部は提示した装飾部品７２を定位するのに用いる。
【００２１】
本考案の装飾袋構造は、先ず制御部品６１の内蔵メモリーに音楽もしくは音声を保存し、次に電子装置６０を袋体構造５０内部の納置空間に設置する。使用者が内部に予めいれておいた音楽もしくは音声を再生したい時、予め設置した再生押ボタン６３を押すと、音楽データーがデジタル・アナログ転換回路からブザーへ伝送し、再生して音を拡大する。使用者が先に録音しておいた音楽を消したい時、録音押ボタン６４を押すだけで前の音声が消される。また仮に使用者が音声もしくは音楽を録音したい時、録音押ボタン６４を押すと、ブザー６５に近い音声源を録音する。
【００２２】
上述のとおり、本考案の装飾袋構造は、音を通す材料で構成された袋体構造内部に薄型電子装置を設置し、音楽もしくはその他特殊音声を再生するもので、装飾袋体の付加価値が大幅に向上し、更に消費者の購買意欲を高める。同時に該電子装置は録音及び直接再生の機能を備え、装飾袋体の実用性も高めている。この他、袋体構造の最上部にはストラップ部品を設置し、使用者が設置しやすい装飾袋構造で、装飾袋体の外部は、保護袋体で覆うことで、装飾用の袋体構造が汚れたり、破れたりするのを防止する。
【００２３】
以上挙げた実施例は本考案の説明のためであり、本考案が制限されることはない。本考案の精神から乖離せず、この領域に習熟した者が本考案の請求範囲及び本考案で説明したものに各種の簡単な変形及び修飾をした場合、それらはすべて以下の請求範囲に含まれる。
【符号の説明】
【００２４】
１０        刺繍袋
１１        開口
１２        穿孔
１３        紐体
２０        袋体構造
２１        開口構造
２２        通孔
２３        外周面
３０        電子装置
３１        制御部品
３２        電気供給装置
３３        音声拡大部品
３４        再生押ボタン
３５        音声吸収部品
３６        録音押ボタン
４０        ストラップ部品
４０１      ストラップ
４１        保護袋体
４１１      通孔
４２        装飾部品
５０        袋体構造
５１        ストラップベルト
５２        外周面
３０        電子装置  
６０        電子装置
６１        制御部品
６２        電気供給装置
６３        再生押ボタン
６４        録音押ボタン
６５        ブザー
７０        ストラップ体
７１        保護袋体
７１１      通孔
７２        装飾部品
【図１】
0003151240.tif 000003
【図２】
0003151240.tif 000004
【図３】
0003151240.tif 000005
【図４】
0003151240.tif 000006
【図５】
0003151240.tif 000007
【手続補正書】
【提出日】平成21年4月6日(2009.4.6)
【手続補正１】
【補正対象書類名】明細書
【補正対象項目名】０００７
【補正方法】変更
【補正の内容】
【０００７】
請求項１の考案は、装飾袋の構造において、音を通す材料で納置空間を備えた袋体構造を構成し、該袋体構造の内部の納置空間に、薄型電子装置を設置して録音、再生機能を備えた装飾袋体を構成し、上述の袋体構造は、その外周面に装飾図案を設置し、上述電子装置は電気供給部品、音声拡大部品、再生押ボタン、及び電気供給部品と音声拡大部品と再生押ボタンを連接する制御部品を含み、上述の再生押ボタンは袋体構造の装飾面に対応する方向に設置することを特徴とする装飾袋の構造としている。
請求項２の考案は、前記袋体構造は、その一側に上述の電子装置を入れる開口構造を設置し、最上部の予定位置に通孔を設置することを特徴とする請求項１記載の装飾袋の構造としている。
請求項３の考案は、前記制御部品は、メモリー、メモリーと連接するデジタル・アナログ転換回路及びデジタル・アナログ転換回路と連接する制御ロジックを含み、上述のデジタル・アナログ転換回路はメモリーのデーターを読み取って音声を再生し、上述の制御ロジックは上述の再生押ボタンを連接して再生状態を制御することを特徴とする請求項１記載の装飾袋の構造としている。
請求項４の考案は、前記電子装置は、更に上述の制御部品と電気連接する音声吸収部品及び録音押ボタンを設置し、該録音押ボタンと上述の再生押ボタンは、上述の袋体構造の装飾面と同じ方向に設置することを特徴とする請求項１記載の装飾袋の構造としている。
請求項５の考案は、前記音声吸収部品と音声拡大部品は、同じ位置に設置してブザー構造を構成することを特徴とする請求項４記載の装飾袋の構造としている。
請求項６の考案は、前記制御部品は、データーを保存するメモリー、メモリーと連接するデジタル・アナログ転換回路及びデジタル・アナログ転換回路と連接する制御ロジックを含み、上述の制御ロジックは上述の再生押ボタンと録音押ボタンを連接して録音再生状態を制御することを特徴とする請求項５記載の装飾袋の構造としている。
請求項７の考案は、前記装飾袋体は、更に最上部位置にストラップ部品を設置することを特徴とする請求項１から６のいずれか１項に記載の装飾袋の構造としている。
請求項８の考案は、前記装飾袋体は、外周面を保護袋体で覆うことを特徴とする請求項７記載の装飾袋の構造としている。
請求項９の考案は、前記保護袋体は、底部位置に一個以上の装飾部品を設置することを特徴とする請求項８記載の装飾袋の構造としている。
請求項１０の考案は、前記装飾袋体は、底部位置に一個以上の装飾部品を設置することを特徴とする請求項７記載の装飾袋の構造としている。
【手続補正２】
【補正対象書類名】実用新案登録請求の範囲
【補正対象項目名】請求項７
【補正方法】変更
【補正の内容】
【請求項７】
前記装飾袋体は、更に最上部位置にストラップ部品を設置することを特徴とする請求項１から６のいずれか１項に記載の装飾袋の構造。